(57)【要約】【課題】１行で表示可能な文字数及び表示可能な行数が互いに異なる文字表示手段を含み、同一の文字を一方の文字表示手段には改行して表示させ他方の文字表示手段には改行せずに１行で表示させるシステムにおいて、表示させる文字の設定作業の共通化等を実現する。【解決手段】所定数の文字を２行以上に分けて表示可能な第１の文字表示手段１１と、この所定数の文字を１行で表示可能な第２の文字表示手段１５と、改行コード設定手段１１，１５と、文字表示手段１１，１５に表示する文字を改行コードを含めた状態で設定するための文字設定手段１と、文字設定手段１で設定した文字を改行コードを境に改行して文字表示手段１１に表示する第１の処理手段１１と、文字設定手段１で設定した文字を改行コードを削除して文字表示手段１５に表示する第２の処理手段１５とを備える。【選択図】            図６
2004172876.tif 000002
【特許請求の範囲】
【請求項１】
所定数の文字を２行以上に分けて表示可能な第１の文字表示手段と、
前記所定数の文字を１行で表示可能な第２の文字表示手段と、
改行コードを設定するための改行コード設定手段と、
前記第１の文字表示手段及び前記第２の文字表示手段に表示させる文字を、前記改行コードを含めた状態で設定するための文字設定手段と、
前記文字設定手段で設定された文字を、該文字に含まれる前記改行コードを境に改行して前記第１の文字表示手段に表示させる第１の処理手段と、
前記文字設定手段で設定された文字を、該文字に含まれる前記改行コードを削除して前記第２の文字表示手段に表示させる第２の処理手段と
を備えたことを特徴とする文字表示システム。
【請求項２】
請求項１に記載の文字表示システムにおいて、
前記第１の処理手段は、前記文字設定手段で設定された文字にマージ記号が含まれている場合、該文字に含まれる前記改行コードを境にして改行させ、且つ該マージ記号を削除して前記第１の文字表示手段に表示させ、
前記第２の処理手段は、前記文字設定手段で設定された文字にマージ記号が含まれている場合、該文字に含まれる前記改行コードを削除し、且つ前記マージ記号を削除することなく前記第２の文字表示手段に表示させる
ことを特徴とする文字表示システム。
【請求項３】
所定数の文字を２行以上に分けて表示可能な第１の文字表示手段と、前記所定数の文字を１行で表示可能な第２の文字表示手段とのうち、同一の文字を前記第１の文字表示手段には改行して表示させ前記第２の文字表示手段には改行せずに１行で表示させる方法において、
改行コードを設定する第１のステップと、
前記第１の文字表示手段及び前記第２の文字表示手段に表示させる文字を、前記改行コードを含めた状態で設定するための第２のステップと、
前記第２のステップで設定した文字を、該文字に含まれる前記改行コードを境に改行して前記第１の文字表示手段に表示させる第３のステップと、
前記第２のステップで設定した文字を、該文字に含まれる前記改行コードを削除して前記第２の文字表示手段に表示させる第４のステップと
を有することを特徴とする文字表示方法。
【請求項４】
請求項３に記載の文字表示方法において、
前記第３のステップでは、前記文字設定手段で設定された文字にマージ記号が含まれている場合、該文字に含まれる前記改行コードを境にして改行させ、且つ該マージ記号を削除して前記第１の文字表示手段に表示させ、
前記第４のステップでは、前記文字設定手段で設定された文字にマージ記号が含まれている場合、該文字に含まれる前記改行コードを削除し、且つ前記マージ記号を削除することなく前記第２の文字表示手段に表示させる
ことを特徴とする文字表示方法。
【発明の詳細な説明】
【０００１】
【発明の属する技術分野】
本発明は、例えばルーティングスイッチャの入出力信号に設定された信号名称を表示するシステムに適用して好適な文字表示システム及び方法に関する。
【０００２】
【従来の技術】
放送局において番組の放送や収録を行う際には、スタジオ内や中継現場の多数のカメラで現在撮影している映像やＶＴＲから再生した資料映像等を全てルーティングスイッチャと呼ばれる信号切替装置に入力させ、どの映像を送出するか、どの映像をどこに配信するか、どの映像をどの編集装置に送る等を、このルーティングスイッチャを制御することによって切り替えるようにしている。
【０００３】
そして、ルーティングスイッチャの個々の出力信号線から出力している映像がそれぞれどのような映像であるか（またはルーティングスイッチャの個々の入力信号線に入力している映像がそれぞれどこに送られているか）を容易に把握できるようにするために、ルーティングスイッチャの個々の入力信号線に入力する映像信号，個々の出力信号線から出力する映像信号にそれぞれ名称（文字）を設定するとともに、それらの名称を表示するための名称表示器を設け、その名称表示器に、ルーティングスイッチャの入力信号線（または出力信号線）について設定された映像信号の名称を表示するようにしている。
【０００４】
このような、ルーティングスイッチャの入力信号線（または出力信号線）について設定された名称を表示するための信号名称表示システムとして、本出願人は、英数字だけでなく日本語による名称を表示できるようにしたシステムを既に出願済みである（特願２００１−３１９７５７）。
【０００５】
図１は、その信号名称表示システムの構成を示す。この信号名称表示システムでは、ターミナルＰＣ（パーソナルコンピュータ）１と、Ｓ−ＢＵＳ１次局２と、２次局としてのルーティングスイッチャ３，複数台のタリーパネル（英数表示）４，コントロールパネル５及びライブスイッチャ６とが、親Ｓ−ＢＵＳ７に接続されている。
【０００６】
さらに、親Ｓ−ＢＵＳ７には表示コントロールシステム８が接続されており、この表示コントロールシステム８と３次局としての複数台のタリーパネル（英数＋日本語表示）９とが子Ｓ−ＢＵＳ１０に接続されている。親Ｓ−ＢＵＳ７，子Ｓ−ＢＵＳ１０は、それぞれルーティングスイッチャ制御用の専用のプロトコルのネットワークである。
【０００７】
図２は、ルーティングスイッチャ３の機能を示す。ルーティングスイッチャ３は複数本（例えば１２８本の倍数で最大１０２４本）の入力信号線Ｉ００１，Ｉ００２，…と複数の出力信号線ＯＵＴ００１，ＯＵＴ００２，…とが交差するとともに各交差ポイントに接続スイッチが設けられたマトリクス構造をしている。各入力信号線には、それぞれ特定のカメラで現在撮影している映像または特定のＶＴＲから再生した資料映像等が入力される。各出力信号線から出力した映像は、それぞれ送出・配信用の機器，モニター，編集装置等に送られる。
【０００８】
このルーティングスイッチャ３の各入力信号線をそれぞれ接続スイッチによって所望の出力信号線と接続させる（図では、‘ｐ’として表した交差ポイントで接続させている）ことにより、各カメラで現在撮影している映像やＶＴＲから再生した資料映像をそれぞれどこに配信・送出したりどの編集装置に送ったりするかを切り替えることができる。
【０００９】
図１において、個々のタリーパネル（英数表示）４，タリーパネル（英数＋日本語表示）９は、それぞれルーティングスイッチャ３の特定の出力信号線（または入力信号線）と対応させて設けられている。
【００１０】
各タリーパネル（英数表示）４は、表示素子として例えば蛍光表示管を用いた文字表示器であり、対応する出力信号線と接続されている入力信号線（または対応する入力信号線と接続されている出力信号線）について設定された英数字の信号名称を表示するためのものである。
【００１１】
各タリーパネル（英数＋日本語表示）９は、表示素子として例えば蛍光表示管を用いた文字表示器であり、対応する出力信号線と接続されている入力信号線（または対応する入力信号線と接続されている出力信号線）について設定された英数字及び日本語の信号名称を表示するためのものである。タリーパネル（英数＋日本語表示）９は、図３に示すように、全角８文字（半角１６文字）×１行で英数字及び日本語を表示可能になっている。
【００１２】
各タリーパネル（英数＋日本語表示）９が対応している出力信号線から出力している映像（または各タリーパネル（英数＋日本語表示）９が対応している入力信号線に入力している映像）は、それぞれモニター２１に表示される。
【００１３】
図１において、コントロールパネル５，ライブスイッチャ６は、それぞれルーティングスイッチャ３を切替操作する（各出力信号線をそれぞれ所望の入力信号線と接続させる）ための操作キーを有する操作器である。
【００１４】
コントロールパネル５，ライブスイッチャ６は、タリーパネル（英数表示）４と同様に、ルーティングスイッチャ３の個々の入力信号線（または出力信号線）について設定された英数字の信号名称を表示可能な表示部も有している。
【００１５】
ターミナルＰＣ１は、システム全般について各種設定を行うためのものである。ルーティングスイッチャ３の個々の入力信号線に入力する映像信号，個々の出力信号線から出力する映像信号の名称として、ＡＳＣＩＩコードを使用した英数字の名称及びシフトＪＩＳコードを使用した日本語の名称の設定も、このターミナルＰＣ１で行われる。
【００１６】
ターミナルＰＣ１での設定結果のうち、信号名称以外の設定結果及び英数字の信号名称の設定結果は、ＲＳ−２３２Ｃをプロトコルとする通信によってＳ−ＢＵＳ１次局２に伝えられる。他方、日本語の信号名称の設定結果は、ＲＳ−２３２Ｃをプロトコルとする通信によって表示コントロールシステム８に伝えられる。
【００１７】
Ｓ−ＢＵＳ１次局２は、ターミナルＰＣ１から伝えられた設定結果（信号名称以外の設定結果及び英数字の信号名称の設定結果）に基づき、親Ｓ−ＢＵＳ７に接続されている各部とポーリング形式で通信を行ってこのシステムを管理する。
【００１８】
すなわち、Ｓ−ＢＵＳ１次局２は、ターミナルＰＣ１での設定結果をこれらの各部に伝えるとともに、コントロールパネル５やライブスイッチャ６の操作結果に基づいてルーティングスイッチャ３の切替を制御してその制御結果（どの出力信号線がどの入力信号線と接続されたかを示す情報）を各部に伝える。
【００１９】
各タリーパネル（英数表示）４には、このＳ−ＢＵＳ１次局２との通信結果に基づき、それぞれ対応する出力信号線と接続されている入力信号線（または対応する入力信号線と接続されている出力信号線）について設定された英数字の信号名称が表示される。
【００２０】
コントロールパネル５，ライブスイッチャ６の前述の表示部にも、このＳ−ＢＵＳ１次局２との通信結果に基づき、ルーティングスイッチャ３の個々の入力信号線（または出力信号線）について設定された英数字の信号名称が表示される。
【００２１】
表示コントロールシステム８は、ターミナルＰＣ１から伝えられた設定結果（日本語の信号名称）及びＳ−ＢＵＳ１次局２との通信結果に基づき、子Ｓ−ＢＵＳ１０に接続されている各タリーパネル（英数＋日本語表示）９と通信を行って各タリーパネル（英数＋日本語表示）９を管理する。
【００２２】
すなわち、表示コントロールシステム８は、Ｓ−ＢＵＳ１次局２から伝えられた設定結果及びルーティングスイッチャ３の制御結果のうち、信号名称以外の設定結果及びルーティングスイッチャ３の制御結果を各タリーパネル（英数＋日本語表示）９に伝え、英数字の信号名称の設定結果を内部のメモリに保存する。
【００２３】
そして、ターミナルＰＣ１から或る入力信号線または出力信号線についての日本語の信号名称が伝えられると、メモリに保存しているその信号線についての英数字の信号名称をその日本語の信号名称の前に付加した名称を、各タリーパネル（英数＋日本語表示）９に伝える。
【００２４】
各タリーパネル（英数＋日本語表示）９には、この表示コントロールシステム８との通信結果に基づき、それぞれ対応する出力信号線と接続されている入力信号線（または対応する入力信号線と接続されている出力信号線）について設定された英数字及び日本語の信号名称が表示される。
【００２５】
図２では、ルーティングスイッチャ３の入力信号線Ｉ００１，Ｉ００２，…に入力する映像信号の英数字の名称がターミナルＰＣ１でそれぞれ「Ｃ１」，「Ｃ２」，…，と設定される（‘Ｃ’はカメラの意）とともに、ルーティングスイッチャ３の出力信号線ＯＵＴ００１，ＯＵＴ００２，…から出力する映像信号の英数字の名称がターミナルＰＣ１でそれぞれ「ＬＩＮＥ１」，「ＬＩＮＥ２」，「ＭＯＮ１」，…と設定される例を示している（‘ＬＩＮＥ’は配信・送出用の機器または編集装置用の信号ラインの意、‘ＭＯＮ’はモニターの意である）。
【００２６】
また、図１では、タリーパネル（英数表示）４に、ルーティングスイッチャ３の入力信号線についてターミナルＰＣ１で設定された英数字の名称「Ｃ１」や「Ｃｎ」（但しｎは２以上の具体的な整数の値）が表示され、タリーパネル（英数＋日本語表示）９に、ルーティングスイッチャ３の入力信号線についてターミナルＰＣ１で設定された英数字の名称「Ｃ１」及び日本語の名称「大阪中継」や英数字の名称「Ｃｎ」及び日本語の名称「田中」が表示されている例を示している（‘大阪中継’は中継現場である大阪のカメラの映像である意、‘田中’はスタジオ内でカメラマン田中氏が撮影しているカメラの映像である意である）。
【００２７】
なお、前述の先行出願（特願２００１−３１９７５７）は本願の出願時には未公開であり、この先行出願以外の先行技術文献情報については不知である。
【００２８】
【発明が解決しようとする課題】
ところで、この図１のシステムでは、タリーパネル（英数＋日本語表示）９にはルーティングスイッチャ３の入力信号線（または出力信号線）について設定された信号名称が英数字及び日本語で表示されるので、タリーパネル（英数＋日本語表示）９を見た際には、ルーティングスイッチャ３の個々の出力信号線から出力している映像がそれぞれどのような映像であるか（またはルーティングスイッチャ３の個々の入力信号線に入力している映像がそれぞれどこに送られているか）を非常に容易に把握することができる。
【００２９】
しかし、コントロールパネル５やライブスイッチャ６の表示部には、ルーティングスイッチャ３の個々の入力信号線（または出力信号線）について設定された信号名称が英数字だけでしか表示されない（例えば図１の例では入力信号線Ｉ００１については「Ｃ１」とだけしか表示されない）。
【００３０】
そのため、コントロールパネル５やライブスイッチャ６でルーティングスイッチャ３の表示部を見ながら切替操作を行う際には、ルーティングスイッチャ３の個々の入力信号線に入力している映像（またはルーティングスイッチャ３の個々の出力信号線から出力している映像）がそれぞれどのような映像であるかを必ずしも十分把握した上で操作を行うことはできない（例えば「Ｃ１」が大阪の中継現場のカメラであるということは分からない）。
【００３１】
これに対し、ルーティングスイッチャ３の個々の入力信号線，出力信号線についての信号名称がタリーパネル（英数＋日本語表示）９と同様に英数字及び日本語で表示されるタッチパネルを設け、このタッチパネル上でルーティングスイッチャ３の個々の出力信号線をそれぞれ所望の入力信号線と接続させる操作を行えるようにすれば、ルーティングスイッチャ３の個々の入力信号線に入力している映像，個々の出力信号線から出力している映像がそれぞれどのような映像であるかを十分把握した上でルーティングスイッチャ３を切替操作できるようになると考えられる。
【００３２】
但し、こうしたタッチパネルを設ける場合、そのタッチパネルで個々の入力信号線，出力信号線について表示可能な文字数や行数は、タリーパネル（英数＋日本語表示）９で表示可能な文字数や行数と一致させることができるとは限らず、むしろタッチパネルのパネルサイズや操作性等の観点からタリーパネル（英数＋日本語表示）９とは異なるものになってしまうのが通常である。
【００３３】
図４は、こうしたタッチパネルを有するルーティングスイッチャ切替用操作器として本出願人が想定しているタッチパネルソースセレクタのパネル面を例示する図である。同図Ａのように、このタッチパネルソースセレクタ１１のパネル面には、ルーティングスイッチャ３の個々の入力信号線，出力信号線にそれぞれ対応した表示・操作部１１ａが配列されている。
【００３４】
このタッチパネルソースセレクタ１１は、パネル面上で、或る出力信号線に対応した表示・操作部１１ａをタッチした後、その出力信号線と接続させたい入力信号線に対応した表示・操作部１１ａをタッチすると、セレクタ１１内のプロセッサの処理により、その出力信号線をその入力信号線に接続させる要求信号を出力するものである。
【００３５】
各表示・操作部１１ａは、パネルサイズの観点からあまり横長にすることができないとともに、操作性の観点からあまり細長くすることができないので、タリーパネル（英数＋日本語表示）９と比べて正方形に近い形状になっている。そのため、各表示・操作部１１ａは、図４Ｂのように全角４文字（半角８文字）×２行で英数字及び日本語を表示可能になっている。
【００３６】
したがって、図１及び図２の例のようにルーティングスイッチャ３の入力信号線Ｉ００１について設定された英数字，日本語の信号名称がそれぞれ「Ｃ１」，「大阪中継」である場合、入力信号線Ｉ００１に対応した表示・操作部１１ａには、そのままでは（すなわち改行をしなければ）、図４Ｂのように、１行目に「Ｃ１大阪」が表示され、２行目に「中継」が表示される（日本語の名称が２つの行に分断して表示される）ことになる。
【００３７】
しかし、このように日本語の名称が分断して表示されると、せっかくルーティングスイッチャ３の個々の入力信号線，出力信号線について設定した日本語の名称が、視覚的に認識しにくくなる。視覚的に認識しやすくするためには、英数字の名称である「Ｃ１」を１行目に表示した後、改行を行うことにより、日本語の名称である「大阪中継」をまとめて２行目に表示するほうがよい。
【００３８】
そのためには、タッチパネルソースセレクタ１１の表示・操作部１１ａに表示する信号名称をターミナルＰＣ１で設定する際に、英数字の名称と日本語の名称との間での改行を指示することが必要になる。
【００３９】
図５は、図１の信号名称表示システムに、こうした改行を前提としてタッチパネルソースセレクタ１１を追加した構成例を示しており、図１と共通する部分には同一の符号を付して重複説明を省略する。この図５のシステムでは、表示コントロールシステム８と同等の構成の表示コントロールシステム１２が、親Ｓ−ＢＵＳ７にさらに接続されている。
【００４０】
また、子Ｓ−ＢＵＳ１０とは別の子Ｓ−ＢＵＳ１４が設けられ、表示コントロールシステム１２が子Ｓ−ＢＵＳ１４に接続されるとともに、３次局としてのタッチパネルソースセレクタ１１（図４）がインタフェース１３を介して子Ｓ−ＢＵＳ１４に接続されている。
【００４１】
ターミナルＰＣ１での設定結果のうち、タリーパネル（英数＋日本語表示）９に表示する日本語の信号名称の設定結果（改行を指示しない日本語名称）は、図１のシステムにおけると同様に、ＲＳ−２３２Ｃをプロトコルとする通信によって表示コントロールシステム８に伝えられる。他方、タッチパネルソースセレクタ１１の表示・操作部１１ａに表示する日本語の信号名称の設定結果（英数字との間での改行を指示する改行コード及び日本語名称）は、ＲＳ−２３２Ｃをプロトコルとする通信によって表示コントロールシステム１２に伝えられる。
【００４２】
表示コントロールシステム１２は、ターミナルＰＣ１から伝えられた設定結果（改行コード及び日本語名称）及びＳ−ＢＵＳ１次局２との通信結果に基づき、子Ｓ−ＢＵＳ１０に接続されているタッチパネルソースセレクタ１１と通信を行ってタッチパネルソースセレクタ１１を管理する。
【００４３】
すなわち、表示コントロールシステム１２は、Ｓ−ＢＵＳ１次局２から伝えられた設定結果のうち、信号名称以外の設定結果をタッチパネルソースセレクタ１１に伝え、英数字の信号名称の設定結果を内部のメモリに保存する。
【００４４】
そして、ターミナルＰＣ１から或る入力信号線または出力信号線についての改行コード及び日本語の信号名称が伝えられると、メモリに保存している同じ信号線についての英数字の信号名称をその改行コード及び日本語の信号名称の前に付加した名称を、タッチパネルソースセレクタ１１に伝える。
【００４５】
タッチパネルソースセレクタ１１の個々の表示・操作部１１ａには、この表示コントロールシステム１２との通信結果に基づき、ルーティングスイッチャ３の対応する入力信号線または出力信号線について設定された英数字の信号名称が１行目に表示されるとともに、その信号線について設定された日本語の信号名称が２行目に改行して表示される。
【００４６】
また、タッチパネルソースセレクタ１１から表示・操作部１１ａの操作による要求信号が表示コントロールシステム１２に送られると、表示コントロールシステム１２はこの要求信号をＳ−ＢＵＳ１次局２に転送する。Ｓ−ＢＵＳ１次局２は、この要求信号に基づいてルーティングスイッチャ３の切替を制御してその制御結果を各部に伝える。
【００４７】
ところが、信号名称表示システムを図５のように構成することには、次の（１）及び（２）のような不都合が存在する。
【００４８】
（１）ターミナルＰＣ１で、タリーパネル（英数＋日本語表示）９に表示する日本語の信号名称の設定（改行を指示しない設定）と、タッチパネルソースセレクタ１１の表示・操作部１１ａに表示する日本語の信号名称の設定（英数字との間での改行を指示する改行コードを含んだ設定）とを、別々に行わなければならない。
【００４９】
そのため、ターミナルＰＣ１での設定作業の手間が増え、設定作業に時間がかかるようになる。また、ルーティングスイッチャ３の同じ入力信号線，出力信号線について設定する日本語の名称はタリーパネル（英数＋日本語表示）９とタッチパネルソースセレクタ１１とで同じでなければならないが、ケアレスミスによって互いに異なる日本語の名称を設定してしまう（例えば入力信号線Ｉ００１についてタリーパネル（英数＋日本語表示）９では「大阪中継」と設定しタッチパネルソースセレクタ１１では「福岡中継」と設定してしまう）事態も起こりえる。
【００５０】
（２）タッチパネルソースセレクタ１１との通信用に表示コントロールシステム８や子Ｓ−ＢＵＳ１０とは別に表示コントロールシステム１２や子Ｓ−ＢＵＳ１４を追加して設けなければならないので、設計作業が煩雑になるとともにシステム全体の大型化・コスト高を招いてしまう。
【００５１】
本発明は、上述の点に鑑み、このタッチパネルソースセレクタ１１の表示・操作部１１ａ，タリーパネル（英数＋日本語表示）９のように１行で表示可能な文字数及び表示可能な行数が互いに異なる文字表示手段を含み、同一の名称（文字）を一方の文字表示手段には改行して表示させ他方の文字表示手段には改行せずに１行で表示させるシステムにおいて、それらの表示手段に表示させる文字の設定作業を共通化することや、システムの設計作業の簡素化及びシステム全体の小型化・低コスト化を実現することを課題としてなされたものである。
【００５２】
【課題を解決するための手段】
この課題を解決するために、本出願人は、所定数の文字を２行以上に分けて表示可能な第１の文字表示手段と、この所定数の文字を１行で表示可能な第２の文字表示手段と、改行コードを設定するための改行コード設定手段と、第１の文字表示手段及び第２の文字表示手段に表示させる文字を、この改行コードを含めた状態で設定するための文字設定手段と、この文字設定手段で設定された文字を、その文字に含まれるこの改行コードを境に改行して第１の文字表示手段に表示させる第１の処理手段と、この文字設定手段で設定された文字を、その文字に含まれるこの改行コードを削除して第２の文字表示手段に表示させる第２の処理手段とを備えた文字表示システムを提案する。
【００５３】
この文字表示システムでは、改行コード設定手段で改行コードを設定した後、第１の文字表示手段及び第２の文字表示手段に表示させる文字をこの改行コードを含めた状態で文字設定手段で設定すると、その文字が、第１の処理手段の処理のもとでこの改行コードを境に改行して第１の文字表示手段に表示されるとともに、第２の処理手段の処理のもとでこの改行コードを削除して改行せずに１行で第２の文字表示手段に表示される。
【００５４】
すなわち、改行コードを含めた状態で文字を設定すると、第１の文字表示手段には、その文字が改行コードを境に改行して表示され、第２の文字表示手段には、改行コードが表示されることなく本来の文字だけが改行せずに１行で表示される。
【００５５】
これにより、表示可能な文字数及び行数が互いに異なる文字表示手段（第１の文字表示手段及び第２の文字表示手段）を含み、同一の文字を一方の文字表示手段には改行して表示させ他方の文字表示手段には改行せずに表示させるシステムにおいて、それらの表示手段に表示させる文字の設定作業が共通化するようになる。
【００５６】
また、第１の処理手段，第２の処理手段にはこの共通の設定作業での同じ設定結果を伝えればよいので、この伝達のための手段（例えば図５のシステムでは表示コントロールシステム８，１２や子Ｓ−ＢＵＳ１０，１４）も、第１の文字表示手段と第２の文字表示手段（図５のシステムではタッチパネルソースセレクタ１１の表示・操作部１１ａとタリーパネル（英数＋日本語表示）９）とで共通化することができ、別々に設ける必要がなくなる。
【００５７】
これにより、表示可能な文字数及び行数が互いに異なる文字表示手段を含み、同一の文字を一方の文字表示手段には改行して表示させ他方の文字表示手段には改行せずに表示させるシステムにおいて、システムの設計作業の簡素化及びシステム全体の小型化・低コスト化も実現されるようになる。
【００５８】
なお、この文字表示システムにおいて、一例として、第１の処理手段を、文字設定手段で設定された文字にマージ記号が含まれている場合、その文字に含まれる改行コードを境にして改行させ、且つこのマージ記号を削除して第１の文字表示手段に表示させるように構成し、第２の処理手段を、文字設定手段で設定された文字にマージ記号が含まれている場合、その文字に含まれる改行コードを削除し、且つこのマージ記号を削除することなく第２の文字表示手段に表示させるように構成することが好適である。
【００５９】
文字設定手段で互いに意味合いや役割の異なる複数通りの文字を設定する場合（例えば図１の例のように英数字の名称「Ｃ１」と日本語の名称「大阪中継」とを設定する場合）、それらの文字を改行せずに１行で表示する際には、それらの文字の間にマージ記号を表示したほうが各文字の内容を理解しやすいのに対し、それらの文字を改行して表示する際には、こうしたマージ記号がどちらかの文字の側に付加して表示されると、マージ記号自体が何らかの意味をもつ文字のように見えることにより却って文字の内容を理解しにくくなる。
【００６０】
そこで、第１の処理手段，第２の処理手段をこのように構成することにより、マージ記号及び改行コードを含めた状態で文字を設定すると、第１の文字表示手段には、その文字が改行コードを境に改行して表示され且つマージ記号が表示されることなく本来の文字だけ表示され、第２の文字表示手段には、改行コードが表示されることなく本来の文字がマージ記号とともに改行せずに１行で表示される。
【００６１】
これにより、同一の文字を一方の文字表示手段には改行して表示させ他方の文字表示手段には改行せずにマージ記号とともに表示させる場合にも、それらの表示手段に表示させる文字の設定作業が共通化するようになる。
【００６２】
次に、本出願人は、所定数の文字を２行以上に分けて表示可能な第１の文字表示手段と、この所定数の文字を１行で表示可能な第２の文字表示手段とのうち、同一の文字を第１の文字表示手段には改行して表示させ第２の文字表示手段には改行せずに１行で表示させる方法において、改行コードを設定する第１のステップと、第１の文字表示手段及び第２の文字表示手段に表示させる文字を、この改行コードを含めた状態で設定するための第２のステップと、この第２のステップで設定した文字を、その文字に含まれるこの改行コードを境に改行して第１の文字表示手段に表示させる第３のステップと、この第２のステップで設定した文字を、その文字に含まれるこの改行コードを削除して第２の文字表示手段に表示させる第４のステップとを有する文字表示方法を提案する。
【００６３】
この文字表示方法によれば、前述の本発明に係る文字表示システムにおけるのと全く同様にして、表示可能な文字数及び行数が互いに異なる第１の文字表示手段及び第２の文字表示手段を含み、同一の文字を一方の文字表示手段には改行して表示させ他方の文字表示手段には改行せずに表示させるシステムにおいて、それらの表示手段に表示させる文字の設定作業が共通化するとともに、システムの設計作業の簡素化及びシステム全体の小型化・低コスト化が実現されるようになる。
【００６４】
【発明の実施の形態】
以下、本発明を、図１の信号名称表示システムに図４のタッチパネルソースセレクタ１１を追加するために適用した例について、図面を用いて具体的に説明する。
【００６５】
図６は、本発明を適用した信号名称表示システムの構成を示しており、図１や図５と共通する部分には同一符号を付している。この信号名称表示システムでは、ターミナルＰＣ（パーソナルコンピュータ）１と、Ｓ−ＢＵＳ１次局２と、２次局としてのルーティングスイッチャ３，複数台のタリーパネル（英数表示）４，コントロールパネル５及びライブスイッチャ６とが、親Ｓ−ＢＵＳ７に接続されている。
【００６６】
さらに、親Ｓ−ＢＵＳ７には、表示コントロールシステム８が接続されており、この表示コントロールシステム８と３次局としての複数台のタリーパネル（英数＋日本語表示）１５とが子Ｓ−ＢＵＳ１０に接続されている。また、３次局としてのタッチパネルソースセレクタ１１も、インタフェース１３を介して子Ｓ−ＢＵＳ１０に接続されている。親Ｓ−ＢＵＳ７，子Ｓ−ＢＵＳ１０は、それぞれルーティングスイッチャ制御用の専用のプロトコルのネットワークである。
【００６７】
図２は、ルーティングスイッチャ３の機能を示す。ルーティングスイッチャ３は複数本（例えば１２８本の倍数で最大１０２４本）の入力信号線Ｉ００１，Ｉ００２，…と複数の出力信号線ＯＵＴ００１，ＯＵＴ００２，…とが交差するとともに各交差ポイントに接続スイッチが設けられたマトリクス構造をしている。各入力信号線には、それぞれ特定のカメラで現在撮影している映像または特定のＶＴＲから再生した資料映像等が入力される。各出力信号線から出力した映像は、それぞれ送出・配信用の機器，モニター，編集装置等に送られる。
【００６８】
このルーティングスイッチャ３の各入力信号線をそれぞれ接続スイッチによって所望の出力信号線と接続させる（図では、‘ｐ’として表した交差ポイントで接続させている）ことにより、各カメラで現在撮影している映像やＶＴＲから再生した資料映像をそれぞれどこに配信・送出したりどの編集装置に送ったりするかを切り替えることができる。
【００６９】
図１において、個々のタリーパネル（英数表示）４，タリーパネル（英数＋日本語表示）１５は、それぞれルーティングスイッチャ３の特定の出力信号線（または入力信号線）と対応させて設けられている。
【００７０】
各タリーパネル（英数表示）４は、表示素子として例えば蛍光表示管を用いた文字表示器であり、対応する出力信号線と接続されている入力信号線（または対応する入力信号線と接続されている出力信号線）について設定された英数字の信号名称を表示するためのものである。
【００７１】
各タリーパネル（英数＋日本語表示）１５は、表示素子として例えば蛍光表示管を用いた文字表示器であり、対応する出力信号線と接続されている入力信号線（または対応する入力信号線と接続されている出力信号線）について設定された英数字及び日本語の信号名称を表示するためのものである。タリーパネル（英数＋日本語表示）１５は、図１のタリーパネル（英数＋日本語表示）９について図３に示したのと同じく、全角８文字（半角１６文字）×１行で英数字及び日本語を表示可能になっている。
【００７２】
図示は省略するが、各タリーパネル（英数＋日本語表示）１５の表面には、任意の半角記号を改行コードとして設定する操作を行うための改行コード設定キーが設けられている。また、各タリーパネル（英数＋日本語表示）１５には、後出の図９のような名称表示処理を実行するプロセッサが内蔵されている。
【００７３】
各タリーパネル（英数＋日本語表示）１５が対応している出力信号線から出力している映像（または各タリーパネル（英数＋日本語表示）１５が対応している入力信号線に入力している映像）は、それぞれモニター２１に表示される。
【００７４】
コントロールパネル５，ライブスイッチャ６は、それぞれルーティングスイッチャ３を切替操作する（各出力信号線をそれぞれ所望の入力信号線と接続させる）ための操作キーを有する操作器である。
【００７５】
コントロールパネル５，ライブスイッチャ６は、タリーパネル（英数表示）４と同様に、ルーティングスイッチャ３の個々の入力信号線（または出力信号線）について設定された英数字の信号名称を表示可能な表示部も有している。
【００７６】
タッチパネルソースセレクタ１１も、それぞれルーティングスイッチャ３を切替操作する（各入力信号線をそれぞれ所望の出力信号線と接続させる）ための操作器である。
【００７７】
タッチパネルソースセレクタ１１のパネル面には、図４Ａに示したように、ルーティングスイッチャ３の個々の入力信号線，出力信号線にそれぞれ対応した表示・操作部１１ａが配列されている。
【００７８】
このタッチパネルソースセレクタ１１は、パネル面上で、或る出力信号線に対応した表示・操作部１１ａをタッチした後、その出力信号線と接続させたい入力信号線に対応した表示・操作部１１ａをタッチすると、セレクタ１１内のプロセッサの処理により、その出力信号線をその入力信号線に接続させる要求信号を出力（図６のインタフェース１３を介して表示コントロールシステム８に送る）するものである。
【００７９】
各表示・操作部１１ａは、パネルサイズの観点からあまり横長にすることができないとともに、操作性の観点からあまり細長くすることができないので、タリーパネル（英数＋日本語表示）１５と比べて正方形に近い形状になっている。そのため、各表示・操作部１１ａは、図４Ｂのように全角４文字（半角８文字）×２行で英数字及び日本語を表示可能になっている。
【００８０】
図示は省略するが、タッチパネルソースセレクタ１１の表面にも、任意の半角記号を改行コードとして設定する操作を行うための改行コード設定キーが設けられている。また、タッチパネルソースセレクタ１１内のプロセッサは、後出の図８のような名称表示処理も実行する。
【００８１】
ターミナルＰＣ１は、システム全般について各種設定を行うためのものである。ルーティングスイッチャ３の個々の入力信号線に入力する映像信号，個々の出力信号線から出力する映像信号の名称として、ＡＳＣＩＩコードを使用した英数字の名称及びシフトＪＩＳコードを使用した日本語の名称の設定も、このターミナルＰＣ１で行われる。
【００８２】
図７は、ターミナルＰＣ１での信号名称の設定例を示す。ターミナルＰＣ１では、ルーティングスイッチャ３の個々の入力信号線，出力信号線（図では入力信号線ＩＮ００１）について、英数字の名称（図では「Ｃ１」）を設定し、その後ろ（右側）にマージ記号‘−’を入力し、その後ろに改行コード（ここでは半角の‘￥’）を入力し、その後ろに日本語の名称（ここでは「大阪中継」）を設定するようになっている。
【００８３】
図１において、ターミナルＰＣ１での設定結果のうち、信号名称以外の設定結果及び英数字の信号名称の設定結果は、ＲＳ−２３２Ｃをプロトコルとする通信によってＳ−ＢＵＳ１次局２に伝えられる。他方、マージ記号及び改行コードを含んだ日本語の信号名称の設定結果は、ＲＳ−２３２Ｃをプロトコルとする通信によって表示コントロールシステム８に伝えられる。
【００８４】
Ｓ−ＢＵＳ１次局２は、ターミナルＰＣ１から伝えられた設定結果（信号名称以外の設定結果及び英数字の信号名称の設定結果）に基づき、親Ｓ−ＢＵＳ７に接続されている各部とポーリング形式で通信を行ってこのシステムを管理する。
【００８５】
すなわち、Ｓ−ＢＵＳ１次局２は、ターミナルＰＣ１での設定結果をこれらの各部に伝えるとともに、コントロールパネル５やライブスイッチャ６やタッチパネルソースセレクタ１１の操作結果に基づいてルーティングスイッチャ３の切替を制御してその制御結果（どの出力信号線がどの入力信号線と接続されたかを示す情報）を各部に伝える。
【００８６】
各タリーパネル（英数表示）４には、このＳ−ＢＵＳ１次局２との通信結果に基づき、それぞれ対応する出力信号線と接続されている入力信号線（または対応する入力信号線と接続されている出力信号線）について設定された英数字の信号名称が表示される。
【００８７】
コントロールパネル５，ライブスイッチャ６の前述の表示部にも、このＳ−ＢＵＳ１次局２との通信結果に基づき、ルーティングスイッチャ３の個々の入力信号線（または出力信号線）について設定された英数字の信号名称が表示される。
【００８８】
表示コントロールシステム８は、ターミナルＰＣ１から伝えられた設定結果（マージ記号，改行コード及び日本語の信号名称）及びＳ−ＢＵＳ１次局２との通信結果に基づき、子Ｓ−ＢＵＳ１０に接続されている各タリーパネル（英数＋日本語表示）１５及びタッチパネルソースセレクタ１１と通信を行って各タリーパネル（英数＋日本語表示）１５及びタッチパネルソースセレクタ１１を管理する。
【００８９】
すなわち、表示コントロールシステム８は、Ｓ−ＢＵＳ１次局２から伝えられた設定結果及びルーティングスイッチャ３の制御結果のうち、信号名称以外の設定結果及びルーティングスイッチャ３の制御結果を各タリーパネル（英数＋日本語表示）１５及びタッチパネルソースセレクタ１１に伝え、英数字の信号名称の設定結果を内部のメモリに保存する。
【００９０】
そして、ターミナルＰＣ１から或る入力信号線または出力信号線についてのマージ記号，改行コード及び日本語の信号名称が伝えられると、メモリに保存しているその信号線についての英数字の信号名称をそのマージ記号，改行コード及び日本語の信号名称の前に付加した名称を、各タリーパネル（英数＋日本語表示）９及びタッチパネルソースセレクタ１１に伝える。
【００９１】
また、タッチパネルソースセレクタ１１から表示・操作部１１ａの操作による要求信号が表示コントロールシステム８に送られると、表示コントロールシステム１２はこの要求信号をＳ−ＢＵＳ１次局２に転送する。Ｓ−ＢＵＳ１次局２は、この要求信号に基づいてルーティングスイッチャ３の切替を制御してその制御結果を各部に伝える。
【００９２】
図８は、タッチパネルソースセレクタ１１内のプロセッサが実行する名称表示処理を示す。
【００９３】
この処理は、表示コントロールシステム８からルーティングスイッチャ３の個々の入力信号線，出力信号線についての信号名称（前述のように英数字の信号名称をマージ記号，改行コード及び日本語の信号名称の前に付加した名称）が伝えられる毎にスタートするものであり、最初に、その名称中に、タッチパネルソースセレクタ１１の前述の改行コード設定キーで設定された改行コードが含まれているか否かを判断する（ステップＳ１）。
【００９４】
イエスであれば、その名称を、その名称中に含まれているマージ記号を削除し、且つその改行コードを境に改行した状態で、その入力信号線または出力信号線に対応する表示・操作部１１ａに表示させる（ステップＳ２）。そして処理を終了する。
【００９５】
他方ノーであれば、その名称を、その入力信号線または出力信号線に対応する表示・操作部１１ａにそのまま表示させる（ステップＳ３）。そして処理を終了する。
【００９６】
図９は、各タリーパネル（英数＋日本語表示）９内のプロセッサが実行する名称表示処理を示す。
【００９７】
この処理は、表示コントロールシステム８からルーティングスイッチャ３の最新の制御結果（どの出力信号線が新たにどの入力信号線と接続されたか）が伝えられる毎にスタートするものであり、既に表示コントロールシステム８から伝えられている個々の入力信号線，出力信号線についての信号名称（前述のように英数字の信号名称をマージ記号，改行コード及び日本語の信号名称の前に付加した名称）に基づき、最初に、そのタリーパネル（英数＋日本語表示）１５に対応する出力信号線と接続されている入力信号線（または対応する入力信号線と接続されている出力信号線）について設定された信号名称中に、そのタリーパネル（英数＋日本語表示）１５の前述の改行コード設定キーで設定された改行コードが含まれているか否かを判断する（ステップＳ１１）。
【００９８】
イエスであれば、その名称を、その改行コードを削除した状態で表示する（ステップＳ１２）。そして処理を終了する。
【００９９】
他方ノーであれば、その名称をそのまま表示する（ステップＳ１３）。そして処理を終了する。
【０１００】
次に、この信号名称表示システムにおいて、ターミナルＰＣ１での信号名称の設定作業に基づいてタッチパネルソースセレクタ１１やタリーパネル（英数＋日本語表示）１５に信号名称が表示される様子について説明する。
【０１０１】
まず、タッチパネルソースセレクタ１１及び各タリーパネル（英数＋日本語表示）１５の改行設定キーで、同じ半角記号（ここでは図７に例示したように半角の‘￥’とする）を改行コードとして設定しておく。
【０１０２】
そして、ターミナルＰＣ１で、ルーティングスイッチャ３の個々の入力信号線，出力信号線について、図７に例示したようにして、英数字の名称の設定と、マージ記号の入力と、タッチパネルソースセレクタ１１及び各タリーパネル（英数＋日本語表示）１５の改行設定キーで設定した改行コード‘￥’の入力と、日本語の名称の設定とを行う。
【０１０３】
この設定結果が表示コントロールシステム８からタッチパネルソースセレクタ１１に伝えられると、タッチパネルソースセレクタ１１では、図８の処理のステップＳ１及びＳ２が実行されることにより、その名称が、その名称中に含まれているマージ記号を削除し、且つ改行コード‘￥’を境に改行した状態で、その入力信号線または出力信号線に対応する表示・操作部１１ａに表示される。
【０１０４】
したがって、図７に例示したように入力信号線ＩＮ００１について英数字の名称，日本語の名称をそれぞれ「Ｃ１」，「大阪中継」と設定した場合には、入力信号線Ｉ００１に対応する表示・操作部１１ａには、図１０に示すように、英数字の名称である「Ｃ１」が１行目に表示された後、改行を行うことにより、日本語の名称である「大阪中継」がまとめて２行目に表示される。
【０１０５】
また、例えばルーティングスイッチャ３の出力信号線ＯＵＴ００１について英数字の名称，日本語の名称をそれぞれ「ＬＩＮＥ１」，「編集１」と設定した場合には、その出力信号線に対応する表示・操作部１１ａには、図示は省略するが、英数字の名称である「ＬＩＮＥ１」が１行目に表示された後、改行を行うことにより、日本語の名称である「編集１」がまとめて２行目に表示される。
【０１０６】
これにより、図４Ｂに示したように表示・操作部１１ａに日本語の信号名称が１行目と２行目とに分断して表示される場合と比較して、ルーティングスイッチャ３の個々の入力信号線，出力信号線について設定された日本語の信号名称が視覚的に認識しやすくなっている。
【０１０７】
そして、例えばＫＯの「ＬＩＮＥ１」，「編集１」と表示された表示・操作部１１ａをタッチした後この「Ｃ１」，「大阪中継」と表示された表示・操作部１１ａをタッチすると、ルーティングスイッチャ３の出力信号線ＯＵＴ００１を入力信号線ＩＮ００１に接続させる要求信号が表示コントロールシステム８を介してＳ−ＢＵＳ１次局２に送られることにより、Ｓ−ＢＵＳ１次局２がルーティングスイッチャ３を制御して出力信号線ＯＵＴ００１を入力信号線ＩＮ００１に接続させる。
【０１０８】
同時に、各タリーパネル（英数＋日本語表示）１５では、表示コントロールシステム８からルーティングスイッチャ３の最新の制御結果が伝えられる毎に、図９の処理のステップＳ１１及びＳ１２が実行されることにより、それぞれ対応する出力信号線と接続されている入力信号線（または対応する入力信号線と接続されている出力信号線）について設定された英数字及び日本語の信号名称が、改行コード‘￥’を削除した状態で表示される。
【０１０９】
したがって、図７に例示したように入力信号線ＩＮ００１について英数字の名称，日本語の名称をそれぞれ「Ｃ１」，「大阪中継」と設定した場合には、入力信号線ＩＮ００１と接続されている出力信号線に対応するタリーパネル（英数＋日本語表示）１５には、図１０に示すように、英数字の名称である「Ｃ１」と日本語の名称である「大阪中継」とが間にマージ記号‘−’を挟んで表示される。
【０１１０】
この英数字の名称「Ｃ１」と日本語の名称「大阪中継」とのように、互いに意味合いや役割の異なる複数通りの名称を設定する場合、それらの名称を改行せずに１行で表示する際には、それらの名称の間にマージ記号を表示したほうが各名称の内容を理解しやすい。したがって、タリーパネル（英数＋日本語表示）１５には、英数字の名称と日本語の名称とが、それぞれ内容を理解しやすいように表示されるようになっている。
【０１１１】
これに対し、タッチパネルソースセレクタ１１の表示・操作部１１ａのように英数字の名称と日本語の名称とを改行して表示する際には、マージ記号がどちらかの文字の側に付加して表示されると、マージ記号自体が何らかの意味をもつ文字のように見えることにより却って文字の内容を理解しにくくなる。タッチパネルソースセレクタ１１の表示・操作部１１ａには、このマージ記号が表示されることなく本来の文字だけ表示されるので、やはり英数字の名称と日本語の名称とがそれぞれ内容を理解しやすいように表示されるようになっている。
【０１１２】
以上のように、この信号名称表示システムでは、タッチパネルソースセレクタ１１及び各タリーパネル（英数＋日本語表示）１５の改行設定キーで改行コードを設定した後、タッチパネルソースセレクタ１１の表示・操作部１１ａ及びタリーパネル（英数＋日本語表示）１５に表示させる信号名称をこの改行コードを含めた状態でターミナルＰＣ１で設定すると、その信号名称が、タッチパネルソースセレクタ１１内のプロセッサの処理のもとでこの改行コードを境に改行して表示・操作部１１ａに表示されるとともに、タリーパネル（英数＋日本語表示）１５内のプロセッサのもとでこの改行コードを削除して改行せずに１行でタリーパネル（英数＋日本語表示）１５に表示される。
【０１１３】
すなわち、改行コードを含めた状態で文字を設定すると、タッチパネルソースセレクタ１１の表示・操作部１１ａには、その文字が改行コードを境に改行して表示され、タリーパネル（英数＋日本語表示）１５には、改行コードが表示されることなく本来の文字だけが改行せずに１行で表示される。
【０１１４】
これにより、タッチパネルソースセレクタ１１の表示・操作部１１ａに表示させる文字の設定作業と、タリーパネル（英数＋日本語表示）１５に表示させる文字の設定作業とが、共通化されるようになっている。
【０１１５】
したがって、ターミナルＰＣ１での信号名称の設定作業の手間が軽減され、設定作業が短時間で行えるようになっている。また、ルーティングスイッチャ３の同じ入力信号線，出力信号線について設定する日本語の名称がタッチパネルソースセレクタ１１とタリーパネル（英数＋日本語表示）１５とで互いに異なってしまうような事態も起こらないようになっている。
【０１１６】
また、タッチパネルソースセレクタ１１，タリーパネル（英数＋日本語表示）１５にはこの共通の設定作業での同じ設定結果を伝えればよいので、この伝達のための手段である表示コントロールシステム８や子Ｓ−ＢＵＳ１０がタッチパネルソースセレクタ１１とタリーパネル（英数＋日本語表示）９とで共通化されており、図５のシステムのように表示コントロールシステム８や子Ｓ−ＢＵＳ１０とは別にタッチパネルソースセレクタ１１への伝達用に表示コントロールシステム１２や子Ｓ−ＢＵＳ１４を設ける必要がなくなっている。
【０１１７】
これにより、システムの設計作業の簡素化及びシステム全体の小型化・低コスト化も実現されるようになっている。
【０１１８】
なお、以上の例では、タッチパネルソースセレクタ１１の表示・操作部１１ａには、図１０に例示したように、１行目に英数字の名称が左詰めして表示されるようになっている。しかし、別の例として、タッチパネルソースセレクタ１１内のプロセッサの図８の処理のステップＳ２において、表示・操作部１１ａの１行目に英数字の名称をセンタリングして表示させるようにしてもよい。
【０１１９】
また、以上の例では、タッチパネルソースセレクタ１１の各表示・操作部１１ａは、全角４文字（半角８文字）×２行で英数字及び日本語を表示可能になっている（図４Ｂ）。しかし、これに限らず、各表示・操作部で表示可能な文字数が全角４文字（半角８文字）以外の文字数であるタッチパネルソースセレクタや、表示可能な行数が３行以上であるタッチパネルソースセレクタを用いてもよい。
【０１２０】
また、以上の例では、改行コードの設定をタッチパネルソースセレクタ１１やタリーパネル（英数＋日本語表示）１５の改行コード設定キーで行うようになっている。しかし、別の例として、ターミナルＰＣ１で改行コードの設定を行い、その設定結果を信号名称以外の設定結果の一部としてＳ−ＢＵＳ１次局２，表示コントロールシステム８を介してタッチパネルソースセレクタ１１やタリーパネル（英数＋日本語表示）１５に伝えるようにしてもよい。
【０１２１】
また、以上の例では、英数字の名称及び日本語の名称を表示する信号名称表示システムに本発明を適用している。しかし、これに限らず、英数字のみの複数の名称を表示する信号名称表示システムや、英数字の名称及び日本語以外の言語の名称を表示する信号名称表示システムや、英数字以外の言語の名称及び日本語または日本語以外の言語の名称を表示する信号名称表示システムにも本発明を適用してよい。
【０１２２】
また、以上の例では信号名称表示システムに本発明を適用している。しかし、これに限らず、１行で表示可能な文字数及び表示可能な行数が互いに異なる文字表示手段を含み、同一の名称（文字）を一方の文字表示手段には改行して表示させ他方の文字表示手段には改行せずに１行で表示させる適宜のシステムに本発明を適用してよい。
【０１２３】
また、本発明は、以上の例に限らず、本発明の要旨を逸脱することなく、その他様々の構成をとりうることはもちろんである。
【０１２４】
【発明の効果】
以上のように、本発明によれば、１行で表示可能な文字数及び表示可能な行数が互いに異なる文字表示手段を含み、同一の文字を一方の文字表示手段には改行して表示させ他方の文字表示手段には改行せずに表示させるシステムにおいて、それらの表示手段に表示させる文字の設定作業を共通化することができるという効果や、システムの設計作業の簡素化及びシステム全体の小型化・低コスト化を実現できるという効果が得られる。
【０１２５】
また、本発明によれば、同一の文字を一方の文字表示手段には改行して表示させ他方の文字表示手段には改行せずにマージ記号とともに表示させる場合にも、それらの表示手段に表示させる文字の設定作業を共通化することができるという効果も得られる。
【図面の簡単な説明】
【図１】従来の信号名称表示システムの構成例を示す図である。
【図２】ルーティングスイッチャの機能を示す図である。
【図３】タリーパネル（英数＋日本語表示）の名称表示部分を示す図である。
【図４】タッチパネルソースセレクタのパネル面を示す図である。
【図５】図１のシステムにタッチパネルソースセレクタを追加した構成例を示す図である。
【図６】本発明を適用した信号名称表示システムの構成例を示す図である。
【図７】図６のシステムにおけるターミナルＰＣでの名称の設定例を示す図である。
【図８】図６のシステムにおけるタッチパネルソースセレクタの名称表示処理を示す図である。
【図９】図６のシステムにおけるタリーパネル（英数＋日本語表示）の名称表示処理を示す図である。
【図１０】図６のシステムにおけるタッチパネルソースセレクタ，タリーパネル（英数＋日本語表示）の表示結果を例示する図である。
【符号の説明】
１  ターミナルＰＣ、  ２  Ｓ−ＢＵＳ１次局、  ３  ルーティングスイッチャ、  ４  タリーパネル（英数表示）、  ５  コントロールパネル、  ６  ライブスイッチャ、  ７  親Ｓ−ＢＵＳ、  ８表示コントロールシステム、  ９，１５  タリーパネル（英数＋日本語表示）、  １０  子Ｓ−ＢＵＳ、  １１    タッチパネルソースセレクタ、  １１ａ  表示・操作部、  １２  インタフェース、      ２１  モニター
【図１】
2004172876.tif 000003
【図２】
2004172876.tif 000004
【図３】
2004172876.tif 000005
【図４】
2004172876.tif 000006
【図５】
2004172876.tif 000007
【図６】
2004172876.tif 000008
【図７】
2004172876.tif 000009
【図８】
2004172876.tif 000010
【図９】
2004172876.tif 000011
【図１０】
2004172876.tif 000012